(57)【要約】【課題】使用する養生シートの種類を少なくすることができ、しかも、Ｌ字部やＴ字部、十字部等の非直線部を適正にカバーすることができる、基礎コンクリート養生シートを提供する。【解決手段】コンクリートの打ち込まれた基礎型枠２の直線部２ｂをカバーする基礎コンクリート養生シート１であって、この養生シート１の端部に、基礎型枠２のＬ字部、Ｔ字部及び十字部等の非直線部２ａをカバーするための切込み４…及び／又は切欠きが設けられている。【選択図】      図２
2004300849.tif 000002
【特許請求の範囲】
【請求項１】
コンクリートの打ち込まれた基礎型枠の直線部をカバーする基礎コンクリート養生シートであって、
端部に、前記基礎型枠のＬ字部、Ｔ字部及び十字部等の非直線部をカバーするための切込み及び／又は切欠きが設けられていることを特徴とする基礎コンクリート養生シート。
【発明の詳細な説明】
【０００１】
【発明の属する技術分野】
本発明は、基礎コンクリート養生シートに関する。
【０００２】
【従来の技術】
【特許文献１】特開平１１−８１６７５号公報
コンクリートの打ち込まれた基礎型枠のＬ字部、Ｔ字部では、直線部の基礎コンクリート養生シートでカバーするだけでは、シートが浮いてしまい、基礎型枠の側面部をうまくカバーできないことから、特開平１１−８１６７５号公報には、直線部をカバーする養生シートとは別に、Ｌ字部やＴ字部をカバーする役物養生シートを用い、直線部用養生シートと役物養生シートとを組み合わせて用いることで、基礎型枠をうまくカバーできるようにしたものが開示されている。
【０００３】
【発明が解決しようとする課題】
しかしながら、直線部をカバーする養生シートとは別に、役物養生シートを用いる方法では、基礎コンクリート養生のためのシートの種類の増加によって、現場での作業効率を落とし、シートの管理も容易ではなくなるという問題がある。
【０００４】
本発明は、上記のような問題点に鑑み、使用する養生シートの種類を少なくすることができ、しかも、Ｌ字部やＴ字部、十字部等の非直線部を適正にカバーすることができる、基礎コンクリート養生シートを提供することを課題とする。
【０００５】
【課題を解決するための手段】
上記の課題は、コンクリートの打ち込まれた基礎型枠の直線部をカバーする基礎コンクリート養生シートであって、
端部に、前記基礎型枠のＬ字部、Ｔ字部及び十字部等の非直線部をカバーするための切込み及び／又は切欠きが設けられていることを特徴とする基礎コンクリート養生シートによって解決される。
【０００６】
即ち、本養生シートは、そもそも基礎型枠の直線部をカバーする直線部用の養生シートであるので、この養生シートで直線部をカバーすることができ、また、この直線部用養生シートの端部に、基礎型枠のＬ字部、Ｔ字部及び十字部等の非直線部をカバーするための切込み及び／又は切欠きが設けられているので、この端部部分で基礎型枠の非直線部を適正にカバーすることができる。従ってまた、このように基礎型枠の直線部をカバーする養生シートで非直線部もカバーするので、役物シートなど必要なく、養生に用いるシートの種類を少なくすることができて、現場での作業効率を向上することができると共に、シートの管理も容易に行うことができるようになる。
【０００７】
【発明の実施の形態】
次に、本発明の実施形態を図面に基づいて説明する。
【０００８】
図１及び図２に示す第１実施形態の養生シート１は、コンクリート布基礎用のもので、屈曲可能な柔軟な矩形のシート材からなっており、コンクリートの打ち込まれた基礎型枠の直線部における天面部と左右の両側面部をカバーすることができるようになされている。
【０００９】
そして、この養生シート１には、図２（イ）（ロ）に示すように、平面にひろげた状態で、基礎型枠の延びる方向における対辺３，３の長さ方向の中央部のそれぞれに、面内方向に延びる対の切込み４，４；４，４が、基礎型枠の天面幅寸法に対応する間隔をおいて設けられている。更に、各切込み４部分において、図２（ハ）に示すように、切込み４の一方の辺４ａには、シート片５がもう一方の辺４ｂの下面側に重なり状態となるように突出して備えられると共に、重なり部分の対向する両面部には、切込み４を開き可能に閉じる面ファスナー６，６が設けられている。
【００１０】
この養生シート１は、図１（イ）に示すように、下向き開放コ字状に屈曲することにより、基礎型枠の直線部における天面部と左右の側面部とに沿わされ、それにより基礎型枠の直線部は適正にカバーされる。そして、この養生シート１を用い、その端部に備えられている切込み４…を開き、端部を例えば同図（イ）（ロ）に示すような形態に屈曲することによって、基礎型枠の非直線部が適正にカバーされる。なお、同図（イ）（ロ）に示す端部の形態は、基礎型枠の直線部の先に、この直線部と直交して基礎型枠が水平二方向に延びるＴ字状部や、十字状部が存在する場合のものである。
【００１１】
図３〜図５は、基礎型枠２の直線部２ｂ，２ｂとＬ字状部２ａとを、上記の養生シート１を用いてカバーする場合を示しており、二つの養生シート１，１を用い、図３及び図４に示すように、一方の養生シート１でＬ字状部２ａを挟む一方の基礎型枠直線部２ｂをカバーすると共に、Ｌ字状部２ａの一部をその養生シート１の端部によって切込み４を開くことでカバーする。
【００１２】
なお、養生シート１の端部でＬ字状部２ａをカバーする場合には、図４（ロ）に示すように、対の切込み４，４のうちの一方の切込み４は開かなければ適正にカバーできないが、もう一方の切込み４は閉じておく。閉じておく方の切込み４は、図２（ハ）に示すように、その一方の辺４ａにシート片５が備えられ、シート片５がもう一方の辺４ｂの下面側に重なり状態となっており、なおかつ、重なり部分は開かないように面ファスナー６，６で接着されているので、安易に開いてしまうことはない。
【００１３】
そして、図４及び図５に示すように、もう一方の養生シート１でＬ字状部２ａを挟むもう一方の基礎型枠直線部２ｂをカバーすると共に、Ｌ字状部２ａの一部をこの養生シート１の端部によって切込み４を開くことでカバーすれば、基礎型枠２のＬ字状部２ａは、その全体がこれら二つの養生シート１，１で適正にカバーされる。
【００１４】
このように、上記の養生シート１によれば、その養生シート１によって基礎型枠２の直線部２ｂを適正にカバーすることができると共に、そのシート１の端部で基礎型枠２のＬ字状部２ａも適正にカバーすることができ、しかも、専用の役物シートは不要で、使用する養生シートの種類も数も少なくすることができ、現場での作業効率を向上することができると共に、シートの管理も容易に行うことができるようになる。
【００１５】
図６及び図７に示す第２実施形態は、コンクリート布基礎のフーチン部上面８側も養生シート１によりカバーできるようにしたもので、図６（イ）に示すように、そのような養生シート１において、基礎型枠の非直線部に養生シート１がうまくおさまるようにするための切込み７…が、養生シート１の端部寄りの縁に設けられている。これらの切込み７…によって、図６（ロ）及び図７（イ）（ロ）に示すように、例えば、基礎型枠２のＬ字状部２ａの内周側において、基礎コンクリートのフーチング部上面８側に延びるシート部分１ａをかち合わせることなくうまくおさめて隙間のない適正なカバー状態を形成することができる。なお、図７（ハ）に示すように、基礎型枠２のＬ字状部２ａの外周側では、切込み７を挟む両辺が互いに突き合わせ状態となっていて、隙間を生じることがないではないが、この切込み７は、基礎型枠２内の養生すべきコンクリートに面してはおらず、コンクリートの養生に支障をきたすおそれはない。しかし、切込み７の部分にも必要に応じてシート片５や面ファスナー６を付けて重なり接着状態となるようにしておくのもよい。その他は第１実施形態と略同様である。
【００１６】
以上に、本発明の実施形態を示したが、本発明はこれに限られるものではなく、発明思想を逸脱しない範囲で各種の変更が可能である。例えば上記の実施形態では、基礎型枠２のＬ字状部２ａを養生シートでカバーする場合を示しているが、本発明の養生シートは、Ｔ字状部や十字状部などの、コンクリートの打ち込まれた基礎型枠の各種非直線部を適正にカバーしうるものである。
【００１７】
また、上記の実施形態では、養生シート１の両端部のそれぞれに非直線部カバー用の切欠き４…を入れた場合を示しているが、養生シートの一方の端部にのみそのような非直線部カバー用の切欠きを設けるようにしてもよい。
【００１８】
また、上記の実施形態では、２つの養生シート１，１を用い、それらのシートの端部がそれぞれ基礎型枠２のＬ字状部２ａの一部をカバーすることによって、Ｌ字状部２ａの全体がカバーされるようになされているものを示しているが、一つのシートの端部で基礎型枠の非直線部の全体を適正にカバーしうるような構成となされていてもよい。
【００１９】
更に、上記の実施形態では養生シートの端部に切込みを入れることで基礎型枠の非直線部をカバーするようにしているが、養生シートの端部に切欠きを設けることで基礎型枠の非直線部をカバーするようにしてもよいし、養生シートの端部に切込みと切欠きの両方を設けることで基礎型枠の非直線部をカバーするようにしてもよい。
【００２０】
また、本発明の養生シートは、非発熱式の養生シートに適用することもできるし、ヒーター等の組み込まれた発熱式の養生シートに適用することもできる。
【００２１】
【発明の効果】
本発明の基礎コンクリート養生シートは、以上のとおりのものであるから、使用する養生シートの種類を少なくすることができ、しかも、Ｌ字部やＴ字部、十字部等の非直線部を適正にカバーすることができる。
【図面の簡単な説明】
【図１】第１実施形態の養生シートを示すもので、図（イ）は基礎型枠への取付け時の形態の一例を示す斜視図、図（ロ）は同シートの端部の形態の一例を示す斜視図である。
【図２】図（イ）は養生シートの平面形状を示す平面図、図（ロ）は切込み部分の拡大平面図、図（ハ）は同切込み部分拡大斜視図である。
【図３】図４及び図５と共に基礎型枠のＬ字状部をカバーする手順を順次に示すもので、図（イ）はＬ字状部の内周側を示す斜視図、図（ロ）はＬ字状部の外周側を示す斜視図である。
【図４】同じく、図（イ）はＬ字状部の内周側を示す斜視図、図（ロ）はＬ字状部の外周側を示す斜視図である。
【図５】同じく、図（イ）はＬ字状部の内周側を示す斜視図、図（ロ）はＬ字状部の外周側を示す斜視図である。
【図６】第２実施形態の養生シートを示すもので、図（イ）は養生シートの平面形状を示す平面図、図（ロ）は基礎型枠への取付け時の形態の一例を示す斜視図である。
【図７】基礎型枠のＬ字状部への養生シートの取付け状態を示すもので、図（イ）はＬ字状部の内周側を示す斜視図、図（ロ）は要部拡大斜視図、図（ハ）はＬ字状部の外周側を示す斜視図である。
【符号の説明】
１…養生シート
２…基礎型枠
２ａ…Ｌ字状部
２ｂ…直線部
４…切込み
【図１】
2004300849.tif 000003
【図２】
2004300849.tif 000004
【図３】
2004300849.tif 000005
【図４】
2004300849.tif 000006
【図５】
2004300849.tif 000007
【図６】
2004300849.tif 000008
【図７】
2004300849.tif 000009